(57)【要約】【課題】器具設置後でも器具設置時とは異なる種類の光源への交換及び点灯装置の交換を容易に行うことができる照明器具を提供する。【解決手段】絶縁性材料から成り下面が開口した略直方体状のボディ１０及び透光性材料から成り上面が開口した略直方体状のカバー１１の各開口面を突き合わせて成る器具本体１と、光源である無電極放電ランプ２ａが着脱自在に装着されるカプラ２と、カプラ２を介して無電極放電ランプ２ａを点灯させるための高周波電力を誘導コイル（図示せず）に供給する点灯装置３と、カプラ２と点灯装置３との間を接続するための結線用部材６と、結線用部材６を介してカプラ２及び点灯装置３と接続され且つ外部電源（図示せず）から引き回される電線（図示せず）が接続される端子部５とを備え、カプラ２及び点灯装置３、並びに結線用部材６及び端子部５を基板４に固定した。【選択図】図１
2008243506.tif 000002
【特許請求の範囲】
【請求項１】
光源が着脱自在に装着されるソケットと、該ソケットを介して光源に点灯電力を供給する点灯装置と、ソケット及び点灯装置を収納する器具本体とを備え、自動車や人、或いは自転車等が往来する路上に配設される照明器具であって、器具本体に着脱自在に取り付けられる基板を備え、該基板に少なくともソケットと点灯装置とが固定されることを特徴とする照明器具。 
【発明の詳細な説明】
【技術分野】
【０００１】
本発明は、屋外で使用される照明器具に関する。
【背景技術】
【０００２】
従来から、屋外で使用される防犯灯などの照明器具が知られており、例えば特許文献１に開示されているようなものがある。この照明器具は、図３に示すように、絶縁材料から成り基端側にアーム挿入部１０１を有した器具本体１００と、器具本体１００内面から突設されたソケット台１０２に設けられて直管型の蛍光灯１０３ａが着脱自在に装着される一対のソケット１０３と、アーム挿入部１０１に装着されて建物の壁や鋼管ポール、及び電力柱に取り付けられる金属製のアーム１０４とを備え、該アーム１０４に点灯装置１０５やトランス１０６等の電気部品が取り付けられている。而して、点灯装置１０５やトランス１０６等の電気部品から発せられる熱がアーム１０４を介して効率よく放熱されるとともに、アーム１０４により電気部品のアース導通を容易に確保することができる。
【特許文献１】特開２００３−７７３３０号公報
【発明の開示】
【発明が解決しようとする課題】
【０００３】
しかしながら、上記従来例では、点灯装置１０５をアーム１０４に取り付けているので、照明器具を路上に設置した後に点灯装置１０５の交換を行うことが困難であるという問題があった。また、ソケット１０３と点灯装置１０５とが器具本体１００に対してバラバラに取り付けられているので、照明器具を路上に設置した際の光源と同種類の光源の交換を行うことはできるが、設置時とは異なる種類の光源に交換するにはソケット１０３と点灯装置１０５を個々に取り外して交換せねばならず、その交換作業が困難であるという問題があった。
【０００４】
本発明は、上記の点に鑑みて為されたもので、器具設置後でも器具設置時とは異なる種類の光源への交換及び点灯装置の交換を容易に行うことができる照明器具を提供することを目的とする。
【課題を解決するための手段】
【０００５】
請求項１の発明は、上記目的を達成するために、光源が着脱自在に装着されるソケットと、該ソケットを介して光源に点灯電力を供給する点灯装置と、ソケット及び点灯装置を収納する器具本体とを備え、自動車や人、或いは自転車等が往来する路上に配設される照明器具であって、器具本体に着脱自在に取り付けられる基板を備え、該基板に少なくともソケットと点灯装置とが固定されることを特徴とする。
【発明の効果】
【０００６】
請求項１の発明によれば、器具本体に着脱自在に取り付けられる基板上に少なくともソケットと点灯装置とを配設したので、照明器具を路上に設置した後において、光源又は点灯装置が故障する等して交換を余儀なくされた場合にも基板を器具本体から取り外して光源又は点灯装置を交換し、その後基板を取り付けるだけで容易に交換作業を行うことができる。また、照明器具設置時における光源と異なる種類の光源に変更する際にも、該光源とその点灯装置とが固定された基板に取り換えるだけで容易に変更することができる。
【発明を実施するための最良の形態】
【０００７】
以下、本発明に係る照明器具の実施形態について図面を用いて説明する。但し、以下の説明では、図１（ａ）における上下左右を上下左右方向と定めるものとする。本実施形態は、自動車や人、或いは自転車等が往来する路上に配設される照明器具であって、図１（ａ）に示すように、絶縁性材料から成り下面が開口した略直方体状のボディ１０及び透光性材料から成り上面が開口した略直方体状のカバー１１の各開口面を突き合わせて成る器具本体１と、光源である無電極放電ランプ２ａが着脱自在に装着されるカプラ２と、カプラ２を介して無電極放電ランプ２ａを点灯させるための高周波電力を誘導コイル（図示せず）に供給する点灯装置３と、カプラ２と点灯装置３との間を接続するための結線用部材６と、結線用部材６を介してカプラ２及び点灯装置３と接続され且つ外部電源（図示せず）から引き回される電線（図示せず）が接続される端子部５とを備え、カプラ２及び点灯装置３、並びに結線用部材６及び端子部５は基板４に固定されている。尚、カバー１１は図示しない取付手段によってボディ１０の長手方向の一端部（左端部）に回動自在に取り付けられている。
【０００８】
基板４は、略矩形状に形成され、上面に点灯装置３が固定されるとともに下面に結線用部材６が固定されている。基板４の左端縁には、カプラ２が固定される第一の取付片４０が下方に向かって基板４と一体に形成されており、基板４の右端縁には、端子部５が固定される第二の取付片４１が下方に向かって基板４と一体に形成されている。また、基板４には、カプラ２に無電極放電ランプ２ａが取り付けられた状態において無電極放電ランプ２ａからの光を所望の照射方向に向けて反射する反射板７が取り付けられている。尚、反射板７は図示しない取付手段によって基板４に着脱自在に取り付けられるようになっている。
【０００９】
ボディ１０の長手方向における両端部には、雌ねじ部（図示せず）を有する一対の支持柱１０ａが各々下方に向かって突設されている。而して、基板４の四隅に設けられたねじ挿通孔（図示せず）と各支持柱１０ａの雌ねじ部とを重ね合わせ、取付ねじ１０ｂで螺合することで基板４をボディ１０に対して着脱自在に取り付けることができる。
【００１０】
本実施形態は、器具本体１の右端部、即ち端子部５の近傍にアーム（図示せず）を有し、該アームを路上に設置された鋼管ポールや電力柱などに設けられた取付金具（図示せず）に取り付けることで路上に配設される。
【００１１】
上述のように、無電極放電ランプ２ａが着脱自在に装着されるカプラ２と、カプラ２を介して誘導コイルに高周波電力を供給する点灯装置３と、カプラ２と点灯装置３との間を接続するための結線用部材６と、結線用部材６を介してカプラ２及び点灯装置３と接続され且つ外部電源から引き回される電線が接続される端子部５とを基板４に固定するとともに、該基板４をボディ１０に着脱自在に取り付けることができるようにしたので、本実施形態を路上に設置した後において、無電極放電ランプ２ａ又は点灯装置３が故障等してこれらを交換する場合に、基板４をボディ１０から取り外し、無電極放電ランプ２ａ又は点灯装置３を交換した後に再び基板４をボディに取り付けるだけでよく、したがって交換作業を容易に行うことができる。
【００１２】
また、本実施形態では、上記の無電極放電ランプ２ａ及びその点灯装置３を基板４に固定したものの他に、無電極放電ランプ２ａとは異なる種類の光源用のソケット２と、ソケット２を介して該光源を点灯させるための点灯電力を供給する点灯装置３とを基板４に固定したものを器具本体１に収納することも可能である。例えば、図２（ａ）に示すように、直管型蛍光灯２ａのソケット２及びその点灯装置３を基板４に固定したもの、図２（ｂ）に示すように、高輝度放電灯２ａのソケット２及びその点灯装置３を基板４に固定したもの、図２（ｃ）に示すように、二灯又は三灯式蛍光灯２ａのソケット２及びその点灯装置３を基板４に固定したものをボディ１０に着脱自在に取り付けることができ、照明器具設置時の光源と異なる種類の光源へ容易に変更することができる。
【００１３】
尚、上記実施形態では、例えば周囲の明るさを検知するセンサ（図示せず）を器具本体１外部に別途備えるとともに、周囲の明るさが所定値以下であれば光源を点灯させ、周囲の明るさが所定値以上であれば光源を消灯させる自動点滅器（図示せず）を器具本体１内部に収納しても構わない。
【図面の簡単な説明】
【００１４】
【図１】本発明の照明器具の実施形態を示す図で、（ａ）は断面図で、（ｂ）は反射板及びカバーを外した状態における下面図である。
【図２】同上の無電極放電ランプ以外の光源を用いた場合の基板を示す図で、（ａ）は直管型蛍光灯を用いた場合を示す側面図で、（ｂ）は高輝度放電灯を用いた場合を示す側面図で、（ｃ）は二灯又は三灯式蛍光灯を用いた場合を示す側面図である。
【図３】従来の照明器具を示す断面図である。
【符号の説明】
【００１５】
１  器具本体
１０  ボディ
１１  カバー
２  カプラ（ソケット）
２ａ  無電極放電ランプ（光源）
３  点灯装置
４  基板 
【図１】
2008243506.tif 000003
【図２】
2008243506.tif 000004
【図３】
2008243506.tif 000005